(57)【要約】      （修正有）【課題】使用済みののり網に付着したのりを完全に除去して、のり網の複数回の使用を実現することができるのり網洗浄処理装置を提供する。【解決手段】互いに並行に配設され、１〜３組ののり網を洗浄処理する３つの洗浄処理機構を備え、１組ののり網を移送する移送手段と、のり網を脱水処理する脱水装置とをさらに備え、３つの洗浄処理機構が、それぞれ、粗洗浄部と、中間洗浄部と、すすぎ洗浄部とからなり、各洗浄部がそれぞれ、所定の長さ分のり網を移動せしめる通路と、通路上ののり網にノズルを介して高圧水を吹き付ける高圧水噴射装置とを備えてなることを特徴とする。【選択図】図１
0003157503.tif 000002
【実用新案登録請求の範囲】
【請求項１】
複数枚の互いに連接された、１、２または３組もしくは４組以上の複数組ののり網のうち１〜３組ののり網を同時に連続して洗浄処理する装置であって、
互いに並行に配設され、前記１〜３組ののり網を洗浄処理する３つの洗浄処理機構を備え、
当該３つの洗浄処理機構が、
それぞれ１組ののり網を移送する移送手段と、該洗浄処理機構により洗浄処理されたのち前記移送手段により導入部を介して移送された当該１組ののり網を脱水処理する脱水装置とをさらに備え、
前記３つの洗浄処理機構が、それぞれ、粗洗浄部と、中間洗浄部と、すすぎ洗浄部とからなり、前記粗洗浄部、中間洗浄部およびすすぎ洗浄部に移送されたのり網がそれぞれ粗洗浄処理、中間洗浄処理およびすすぎ洗浄処理を受け、
前記粗洗浄部が、所定の長さ分のり網を移動せしめる通路と、該通路上ののり網にノズルを介して高圧水を吹き付ける粗洗浄用高圧水噴射装置とを備え、
前記中間洗浄部が、所定の長さ分のり網を移動せしめる通路と、該通路上ののり網にノズルを介して高圧水を吹き付ける中間洗浄用高圧水噴射装置とからなり、
前記すすぎ洗浄部が、所定の長さ分のり網を移動せしめる通路と、該通路上ののり網にノズルを介して高圧水を吹き付けるすすぎ洗浄用高圧水噴射装置とからなり、
前記移送手段が、電動モータにより得られた回転トルクが直接または増・減速機構を介して伝達される駆動ローラと、付勢手段により前記駆動ローラに対して押圧される従動ローラとを備えてなることを特徴とするのり網洗浄装置。
【請求項２】
複数枚の互いに連接された、１、２または３組もしくは４組以上の複数組ののり網のうち１〜３組ののり網を同時に連続して洗浄処理する装置であって、
互いに並行に配設され、前記１〜３組ののり網を洗浄処理する３つの洗浄処理機構を備え、
当該３つの洗浄処理機構が、
それぞれ１組ののり網を移送する移送手段と、該洗浄処理機構により洗浄処理されたのち前記移送手段により導入部を介して移送された当該１組ののり網を脱水処理する脱水装置とをさらに備え、
前記３つの洗浄処理機構が、それぞれ、粗洗浄部と、中間洗浄部と、すすぎ洗浄部とからなり、前記粗洗浄部、中間洗浄部およびすすぎ洗浄部に移送されたのり網がそれぞれ粗洗浄処理、中間洗浄処理およびすすぎ洗浄処理を受け、
前記粗洗浄部が、所定の長さ分のり網を移動せしめる通路と、該通路上ののり網にノズルを介して高圧水を吹き付ける粗洗浄用高圧水噴射装置とを備え、
前記中間洗浄部が、所定の長さ分のり網を移動せしめる通路と、該通路上ののり網に回転不能のノズルを介して高圧水を吹き付ける中間洗浄用高圧水噴射装置とからなり、
前記すすぎ洗浄部が、所定の長さ分のり網を移動せしめる通路と、該通路上ののり網にノズルを介して高圧水を吹き付けるすすぎ洗浄用高圧水噴射装置とからなり、
前記移送手段が、電動モータにより得られた回転トルクが直接または増・減速機構を介して伝達される駆動ローラと、付勢手段により前記駆動ローラに対して押圧される従動ローラとを備えてなることを特徴とするのり網洗浄装置。
【請求項３】
複数枚の互いに連接された、１、２または３組もしくは４組以上の複数組ののり網のうち１〜３組ののり網を同時に連続して洗浄処理する装置であって、
互いに並行に配設され、前記１〜３組ののり網を洗浄処理する３つの洗浄処理機構を備え、
当該３つの洗浄処理機構が、
それぞれ１組ののり網を移送する移送手段と、該洗浄処理機構により洗浄処理されたのち前記移送手段により導入部を介して移送された当該１組ののり網を脱水処理する脱水装置とをさらに備え、
前記３つの洗浄処理機構が、それぞれ、粗洗浄部と、中間洗浄部と、すすぎ洗浄部とからなり、前記粗洗浄部、中間洗浄部およびすすぎ洗浄部に移送されたのり網がそれぞれ粗洗浄処理、中間洗浄処理およびすすぎ洗浄処理を受け、
前記粗洗浄部が、所定の長さ分のり網を移動せしめる通路と、該通路上ののり網にノズルを介して高圧水を吹き付ける粗洗浄用高圧水噴射装置とを備え、
前記中間洗浄部が、所定の長さ分のり網を移動せしめる通路と、該通路上ののり網に回転可能なノズルを介して高圧水を吹き付ける中間洗浄用高圧水噴射装置とからなり、
前記すすぎ洗浄部が、所定の長さ分のり網を移動せしめる通路と、該通路上ののり網にノズルを介して高圧水を吹き付けるすすぎ洗浄用高圧水噴射装置とからなり、
前記移送手段が、電動モータにより得られた回転トルクが直接または増・減速機構を介して伝達される駆動ローラと、付勢手段により前記駆動ローラに対して押圧される従動ローラとを備えてなることを特徴とするのり網洗浄装置。
【考案の詳細な説明】
【技術分野】
【０００１】
本考案はのり網洗浄装置に関する。
【背景技術】
【０００２】
従来、のり業者は、海面に設置されたのり網（使用前の状態では１枚当たり約２ｋｇであるが、のりと水分を含んで約５０〜１００ｋｇにも達している）を船に引き上げ、該船を覆うような状態で、のり葉は船に装着されたロータで刈り取るというその作業を２〜５度繰り返すことによって、のりを回収している。
【０００３】
一方、のり網の大きさは、地域によって多少異なるが、約１．６ｍ×２０ｍの矩形状を呈しており、かなり大きい。そのうえ、のり網は一辺がたとえば約１６ｃｍと全体の大きさにくらべて小さい格子状メッシュから構成されており、のりは、この小さい格子状のメッシュにへばりつくように付着しており、また、のり網の撚り目に食い込んでいるものもあり、このようなかなりの時間と労力をかけてのり網に付着したのりの洗浄・除去作業をおこなっても、のりが、のり網の繊維にしっかりと絡まりついているため、きれいに完全に除去することができず、のりは腐敗し易いため、異臭を放ったり、害虫が発生するため再使用できる状態にはないので、のり業者は、のり網の回収業者によりのり網を回収させて、廃棄している。
【０００４】
回収されたのり網を大型の洗濯機でのり網に付着したのりを再度除去しようとする試みもあるが、やはり完全に除去できず、一度とれたのりが洗濯機中に残り、のり網に再び付着することがあり、矢張り、完全にのりを落とすことは困難であり、さらに洗濯後、網を取り出したときに網が、長さが約２０ｍもあるため、全ての網がもつれてしまうという問題がある。
【考案の概要】
【考案が解決しようとする課題】
【０００５】
そこで、本考案者は、一度しか使用されていないのり網が、使用後、廃棄されているという現状に鑑み、資源の低消費（reduce）、再使用（reuse）、リサイクル（recycle）（低消費（reduce）、再使用（reuse）、リサイクル（recycle）の頭文字のＲを用いて３Ｒとも呼ばれている）が叫ばれている社会的ニーズにも応えるために、使用済みののり網に付着したのり網の完全に除去して、のり網の複数回の使用を実現することができるのり網洗浄処理装置の提供を目的とする。
【課題を解決するための手段】
【０００６】
本考案ののり網洗浄装置は、複数枚の互いに連接された、１、２または３組もしくは４組以上の複数組ののり網のうち１〜３組ののり網を同時に連続して洗浄処理する装置であって、互いに並行に配設され、前記１〜３組ののり網を洗浄処理する３つの洗浄処理機構を備え、当該３つの洗浄処理機構が、それぞれ１組ののり網を移送する移送手段と、該洗浄処理機構により洗浄処理されたのち前記移送手段により導入部を介して移送された当該１組ののり網を脱水処理する脱水装置とをさらに備え、前記３つの洗浄処理機構が、それぞれ、粗洗浄部と、中間洗浄部と、すすぎ洗浄部とからなり、前記粗洗浄部、中間洗浄部およびすすぎ洗浄部に移送されたのり網がそれぞれ粗洗浄処理、中間洗浄処理およびすすぎ洗浄処理を受け、前記粗洗浄部が、所定の長さ分のり網を移動せしめる通路と、該通路上ののり網にノズルを介して高圧水を吹き付ける粗洗浄用高圧水噴射装置とを備え、前記中間洗浄部が、所定の長さ分のり網を移動せしめる通路と、該通路上ののり網にノズルを介して高圧水を吹き付ける中間洗浄用高圧水噴射装置とからなり、前記すすぎ洗浄部が、所定の長さ分のり網を移動せしめる通路と、該通路上ののり網にノズルを介して高圧水を吹き付けるすすぎ洗浄用高圧水噴射装置とからなり、前記移送手段が、電動モータにより得られた回転トルクが直接または増・減速機構を介して伝達される駆動ローラと、付勢手段により前記駆動ローラに対して押圧される従動ローラとを備えてなることを特徴とする。
【考案の効果】
【０００７】
本考案によれば、使用済みののり網に付着したのりを、効率よく除去することができ、資源の低消費（reduce）、再使用（reuse）、リサイクル（recycle）を実現し得るのり網洗浄装置を提供することができる。
【図面の簡単な説明】
【０００８】
【図１】本考案の一実施の形態にかかわるのり網洗浄装置を示す説明図である。
【図２】本考案ののり網洗浄装置の洗浄部を説明するための説明図である。
【図３】本考案ののり網洗浄装置に用いられる洗浄部の断面図を示す断面説明図である。
【図４】本考案ののり網洗浄装置に用いられる洗浄部の断面図を示す断面説明図である。
【図５】本考案ののり網洗浄装置に用いられる通路の一実施の形態を示す説明図である。
【図６】本考案ののり網洗浄装置に用いられるガイド部を説明するための説明図である。
【図７】本考案ののり網洗浄装置に用いられる駆動ローラおよび従動ローラの原理を説明する説明図である。
【考案を実施するための形態】
【０００９】
以下、添付図面を参照しつつ本考案ののり網洗浄装置を以下に詳細に説明する。
【００１０】
図１は本考案の一実施の形態にかかわるのり網洗浄処理装置を示す説明図、図２は本考案ののり網洗浄処理装置の洗浄部を説明するための説明図、図３および図４は本考案ののり網洗浄処理装置に用いられる洗浄部の断面図を示す断面説明図、図５は本考案ののり網洗浄処理装置に用いられる通路の一実施の形態を示す説明図、図６は本考案ののり網洗浄処理装置に用いられるガイド部を説明するための説明図、図７は本考案ののり網洗浄処理装置に用いられる駆動ローラおよび従動ローラの原理を説明する説明図である。
【００１１】
図１を参照すると、のり網洗浄装置（以下、洗浄装置という）１は、複数枚ののり網を紐等により互いに連接し、複数枚ののり網を略線状に絞り込まれた１組の連続したのり網（以下、単にのり網という）Ｎとし、そののり網Ｎを移送しながら、高圧水を噴射することにより一度に３組ののり網Ｎを洗浄し、のり網に付着したのりを除去するものである。
【００１２】
のり網洗浄装置１は、３本ののり網Ｎが後述する搬送手段Ｔ（図７参照）により送り込まれ、それぞれののり網Ｎに付着したのりを洗浄・除去する洗浄処理機構Ｃ１、Ｃ２、Ｃ３を備えている。図１においては、洗浄処理機構Ｃ１、Ｃ２、Ｃ３は上下に一列に並んで互いに並行に配設されているが、洗浄処理機構Ｃ１、Ｃ２、Ｃ３は水平方向に一列に並設されてもよいし、２つの洗浄処理機構が水平に並び、当該２つの洗浄処理機構の上または下に１または２以上の洗浄処理機構が配設された状態も本考案に含まれる。
【００１３】
図１では、洗浄装置１の出口側の脚Ｆ１を入口側の脚Ｆ２よりも長くし、洗浄装置１全体を図１において紙面の右上がりになるように傾斜させているが、入口側と出口側で同じ高さの脚を用いて、洗浄装置１内部で、洗浄処理機構Ｃ１、Ｃ２、Ｃ３を傾斜させることもできる。
【００１４】
洗浄処理機構Ｃ１、Ｃ２、Ｃ３はさらに移送されるのり網Ｎを最初に洗浄し、表面についたのりを除去する粗洗浄部４と、粗洗浄処理されたのり網Ｎの表面についたのりや網の撚り目に詰まったのりなどを除去する中間洗浄部５と、中間洗浄処理されたのり網Ｎをすすぐすすぎ洗浄部６とから構成され、通過するのり網Ｎに付着したのりを除去する。
【００１５】
粗洗浄部４は、さらにのり網Ｎを載置させ、所定の長さ分のり網Ｎを粗洗浄部４を移動させる通路４１と当該所定の長さ分の通路に対して高圧水を吹き付ける高圧水を噴射する噴射ノズル４２とを備えている。噴射ノズル４２には、ポンプＰによって３〜８ＭＰａに加圧された圧水が配管Ｃを介して供給される。ポンプＰは図１に示すように洗浄装置１内部に収納されており、ポンプＰを駆動するモータＭとともに洗浄装置１内部にパッケージ化して設けることができ、ポンプＰを洗浄装置１外部に設ける場合より、ポンプＰと洗浄装置１との間の配管を減らすことができるというメリットがある。なお、ポンプＰおよび駆動モータＭを洗浄装置１の外部に設けても構わない。図６に示すように、例えば上下３列の洗浄処理機構Ｃ１、Ｃ２、Ｃ３に対応して、３つの噴射ノズル４２が配設され、それぞれの洗浄処理機構Ｃ１、Ｃ２、Ｃ３を通過するのり網Ｎに対して噴射できるようになっている。噴射ノズル４２は、図３では洗浄処理機構Ｃ１、Ｃ２、Ｃ３が収容されるケーシング９に固定され、それぞれの洗浄部の左右両側から高圧水を噴射する。しかしながら、噴射ノズル４２は、図２および図３に示す位置に限られるものではなく、たとえば洗浄部の上下から噴射したり、斜め上方、斜め下方から噴射しても構わない。また、噴射ノズル４２は、図２において参照符号Ａｘ１、Ａｘ２で示される噴射ノズル４２の自軸Ａｘ１、Ａｘ２回りに回転しないものを用いてもよいし、自軸Ａｘ１、Ａｘ２回りに回転するものであってもよい。
【００１６】
中間洗浄部５は、粗洗浄部４と同様にのり網Ｎを載置させ、所定の長さ分ののり網Ｎを、中間洗浄部を移動させる通路５１と当該所定の長さ分の通路に対して高圧水を吹き付ける高圧水を噴射する噴射ノズル５２とを備えている。
【００１７】
また、すすぎ洗浄部６は、粗洗浄部４および中間洗浄部５と同様にのり網Ｎを載置させ、所定の長さ分のり網Ｎを中間洗浄部を移動させる通路６１と当該通路６１上ののり網Ｎに高圧水を吹き付ける高圧水を噴射する噴射ノズル６２とを備えている。すすぎ洗浄部６の噴射ノズル６２は、図４に示すように１つの噴射ノズル６２がケーシング９に取り付けられ、１つの噴射ノズル６２により上下３列の洗浄場所に噴射するが、粗洗浄部４および中間洗浄部５と同様に３つの噴射ノズルを用いることもできる。
【００１８】
粗洗浄部４、中間洗浄部５、すすぎ洗浄部６のそれぞれに設けられた通路４１、５１、６１はそれぞれ所定の長さ分設けられ、網目に付着したのりの付着量の程度に応じてそれぞれ、粗洗浄処理、中間洗浄処理、すすぎ洗浄処理の各工程で要する洗浄時間に対応させて各通路４１、５１、６１の長さを適宜変更すればよい。また、噴射ノズル４２、５２、６２の噴射圧力を変更することにより、粗洗浄処理、中間洗浄処理、すすぎ洗浄処理の各工程の洗浄時間を変更することもできる。噴射圧力洗浄装置１に設けられた圧力変更スイッチにより、複数段階での調整が可能である。また、配管に設けられたバルブやコックをひねって吐出量を変化させて、結果的に吐出圧力を変更してもよい。そうすれば、低出力のモータを用いて一定のモータの回転速度で、低コストでの運転が可能になるという利点が得られる。また、噴射ノズル４２、５２、６２の噴射圧力を変更するほか、たとえば噴射ノズル４２、５２、６２の後端部をスライダ部材に挿入し、当該スライダ部材の外側からネジやボルトなどにより噴射ノズル４２、５２、６２を固定するスライド機構を用いて洗浄されるべきのり網Ｎに近づけたり、遠ざけたりすることができる。噴射ノズル４２、５２、６２の位置調整をするときは、ネジやボルトを緩め、噴射ノズル４２、５２、６２を前後に移動し、スライダ部材の外側からネジやボルトなどで噴射ノズル４２、５２、６２の後端部を締め付けることにより、位置を調整し、のり網Ｎまでの距離を自在に調整し、洗浄能力を調整することができる。スライド機構は、前記スライダ部材を用いるものに限られず、当業者に自明な位置調整手段を用いて噴射ノズル４２、５２、６２ののり網Ｎまでの距離を調整することができる。位置噴射ノズル４２、５２、６２をのり網Ｎに近づけることにより、ポンプＰの容量や、ポンプＰの駆動モータが弱いものを用いても、洗浄能力が低下せず、のり網Ｎに付着したのりを洗浄することができる。
【００１９】
また、図２に示すように、洗浄部４、５、６の入口側から見て左側に設けられた噴射ノズル４２、５２、６２と、洗浄部４、５、６の入口側から見て右側に設けられた噴射ノズル４２、５２、６２とは、互いに偏心して配置されている。すなわち、参照符号Ａｘ１、Ａｘ３、Ａｘ５で示される洗浄部４、５、６の左側の噴射ノズル４２、５２、６２の軸Ａｘ１、Ａｘ３、Ａｘ５と、参照符号Ａｘ２、Ａｘ４、Ａｘ６で示される洗浄部４、５、６の右側の噴射ノズル４２、５２、６２の軸Ａｘ２、Ａｘ４、Ａｘ６が互いに偏心している。このように左右の噴射ノズル４２、５２、６２を互いに偏心して配置することにより、左側の噴射ノズルから噴射された高圧水と右側の噴射ノズルから噴射された高圧水が干渉せず、効率よくのり網Ｎを洗浄することができる。
【００２０】
また、それぞれの洗浄部４、５、６には、通路４１、５１、６１に図５または図６に示すように移送されるのり網Ｎをガイドするガイド部Ｇを設けることができ、のり網Ｎの洗浄中にのり網Ｎが洗浄場所から下方に垂れ下がったりすることにより、３本ののり網Ｎが互いに絡まったり、もつれたりすることを防止することができる。
【００２１】
図５に示すガイド部Ｇは、円筒を円筒の上面から半分に分割した形状を呈している。当該ガイド部Ｇは、通路４１、５１、６１を円筒状にし、当該円筒状の通路の高圧水が噴射される位置を部分的に切り欠いた切り欠き部を形成して、当該切り欠き部に高圧水を噴射することにより、のり網Ｎを洗浄することができる。
【００２２】
また、ガイド部Ｇは、図５に示す形状に限られず、略円環状のガイド部材を通路の長手方向に沿って１または複数設けることにより、のり網Ｎをガイドすることもでき、図６に示すように、円環状のガイド部の高圧水が噴射される位置を部分的に欠損して開放することにより、略Ｃ字状のガイド部Ｇを形成し、当該略Ｃ字状のガイド部Ｇを通路４１、５１、６１の長手方向に沿って１または複数設けることにより、のり網Ｎをガイドすることができる。略Ｃ字状のガイド部Ｇとすることにより、噴射された高圧水が、ガイド部Ｇにより邪魔されず、効率よくのり網Ｎを洗浄することができる。
【００２３】
のり網Ｎは、粗洗浄部４、中間洗浄部５、すすぎ洗浄部６を順に通過し洗浄されるが、のり網Ｎを粗洗浄部４、中間洗浄部５、すすぎ洗浄部６に沿って搬送するために、図１および図７に示すように、洗浄処理機構Ｃ１、Ｃ２、Ｃ３の出口側に、駆動ローラ７と３つの従動ローラ８１、８２、８３からなる移送手段Ｔが設けられている。駆動ローラ７は図１および図７に示すように、円筒状を呈しており、電動モータＭ２などの動力発生手段により駆動され、電動モータＭ２により発生した回転トルクは、直接駆動ローラ７に伝達されるか、または増速歯車、減速歯車などの増・減速機構を介して駆動ローラに伝達される。電動モータＭ２は、洗浄装置１に設けられたスイッチ（図示せず）により駆動される。当該電動モータＭ２のスイッチは、危険防止のため、噴射ノズル４２、５２、６２のスイッチ（図示せず）と別々に設けてもよいし、洗浄装置１に一体に設けてもよい。
【００２４】
駆動ローラ７の上部には図７に示すように、３つの独立に懸架された従動ローラ８１、８２、８３が設けられている。当該従動ローラ８１、８２、８３は、バネＳなどの付勢手段により駆動ローラ７側に付勢されている。したがって、駆動ローラ７と従動ローラ８１、８２、８３との間にのり網Ｎを挟みこみ、駆動ローラ７をモータＭ２等の動力発生手段により回転させることにより、のり網Ｎが図１中右側に搬送され、略線状に絞り込まれたのり網Ｎを洗浄することができる。また、従動ローラ８１、８２、８３が独立して懸架されていることにより、３本ののり網が、図７に示すように、左側ののり網Ｎが平坦な状態で駆動ローラ７に差し掛かり、真ん中ののり網Ｎが丸まった状態で、左側ののり網Ｎよりも厚さが厚い場合であっても、それぞれの従動ローラ８１、８２、８３がのり網Ｎの厚さに応じて駆動ローラ７に対して移動することができる。したがって、それぞれののり網Ｎが駆動ローラ７と従動ローラ８１、８２、８３とに常に挟まれた状態となるので、のり網Ｎの搬送が滞ることがなく、効率よく洗浄することができる。なお、従動ローラは、３つの従動ローラが設けられているものに限られず、１本の表面がフレキシブルな従動ローラを用いて、のり網Ｎの厚さに応じて変形するようにして従動ローラを１つにすることもできる。
【００２５】
また、本実施の形態では、駆動ローラ７と従動ローラ８１、８２、８３は、洗浄されたのり網を脱水する脱水装置を兼ねている。すなわち、駆動ローラ７と従動ローラ８１、８２、８３とでのり網Ｎを挟み込んで、従動ローラ８１、８２、８３がバネＳにより駆動ローラ７側に付勢されているので、のり網Ｎを上下から押圧して、洗浄後の水分を搾り取ることができる。なお、搬送手段として機能する駆動ローラ７と従動ローラ８１、８２、８３とは別にのり網Ｎを挟み込むローラ等の脱水装置を設けることにより、のり網Ｎを脱水することもできる。
【００２６】
また、従動ローラ８１、８２、８３は、それぞれ図１および図２に示される操作レバーＯを操作することにより軸Ａ回りに旋回可能に設けられ、従動ローラ８１、８２、８３を上下させることができる。当該操作レバーＯにより、のり網Ｎが万が一絡まってしまった場合であっても、操作レバーＯを上に操作し、従動ローラ８１、８２、８３を上に上げてからのり網Ｎの絡まりをほどくなどの対処をすることができる。
【００２７】
また、図２に示すように、すすぎ洗浄用洗浄部６の通路６１の出口側には、従動ローラ８１、８２、８３のそれぞれにのり網Ｎを導くために、それぞれの従動ローラの方向に傾いた導入部３１、３２、３３が設けられている。導入部３１、３２、３３を設けることにより、それぞれののり網Ｎを従動ローラ８１、８２、８３のそれぞれに向けて方向付けることができるので、洗浄後ののり網Ｎが絡まることを防止することができる。
【００２８】
また、図２に示すように、３組ののり網Ｎを粗洗浄用洗浄部４の通路にスムーズに導くように、粗洗浄用洗浄部４の通路４１の入口側に、前記導入部３１、３２、３３と同様の導入部を設けることができる。
【００２９】
つぎに、洗浄装置１の動作を説明する。まず、回収された使用済みの複数ののり網Ｎを３組に分け、３組にわけられたのり網Ｎを互いに紐等で縛りつけ、ばらばらであったのり網Ｎを１本にする。その作業を３組分行ない、３本ののり網Ｎとしたあと、手動にてそれぞれののり網Ｎを洗浄処理機構Ｃ１、Ｃ２、Ｃ３に通す。つぎに洗浄処理機構Ｃ１、Ｃ２、Ｃ３に挿通されたのり網Ｎの一端をそれぞれ駆動ローラ７および従動ローラ８１、８２、８３の間に挟みこみ、従動ローラ８１、８２、８３を付勢するバネＳにより、のり網Ｎが保持される。このとき、従動ローラ８１、８２、８３を付勢するバネＳの付勢力を適宜緩めれば、のり網Ｎを駆動ローラ７および従動ローラ８１、８２、８３の間に挟みこむのが容易になる。また、バネＳの弾性力を調整し、のり網Ｎを挟み込む力を調整するために、適宜バネの本数を増やしたり、減らしたりすることができる。
【００３０】
のり網Ｎのセットが完了すると、洗浄装置１のスイッチをＯＮにし、駆動ローラ７の電動モータＭ２が駆動され、電動モータＭ２の回転トルクが駆動ローラ７に伝達され、駆動ローラ７が回転するとともに、のり網Ｎは図１中右側に移送される。それと同時に粗洗浄部４、中間洗浄部５、すすぎ洗浄部６の各ノズルから高圧水が噴射され、洗浄処理が開始される。
【００３１】
のりが付着したのり網Ｎは、まず粗洗浄部４に差し掛かり、粗洗浄部４の通路４１上で通路４１の左右両側に設けられた噴射ノズル４２により、表面ののりが洗浄・除去される。のり網Ｎが粗洗浄部４で洗浄される時間（粗洗浄部４に差し掛かってから、粗洗浄部４から出るまでの時間）は、３０〜１００秒間洗浄され、表面ののりを除去する。
【００３２】
粗洗浄処理をされたのり網Ｎはつぎに中間洗浄部５に差し掛かり、中間洗浄部５の通路５１上で通路５１の左右両側に設けられた噴射ノズル５２により、洗浄時間３０〜１００秒間洗浄し、のり網Ｎの表面に付着したのりや、のり網Ｎの撚り目に詰まったのりかすを洗浄・除去する。
【００３３】
中間洗浄処理をされたのり網Ｎは、つぎにすすぎ洗浄部６に差し掛かり、すすぎ洗浄部６の通路６１上で、通路６１の左右両側に設けられた噴射ノズル６２により、３０〜１００秒間すすぎ処理され、のり網Ｎに残ったのりかすを洗浄・除去する。のり網Ｎは、新品では約１９ｍの長さで、使用済みののり網Ｎでは２２ｍぐらいになるものもあるが、のり網Ｎは通路１レーンを約２〜４分で通過し、一枚あたり約１分で洗浄をすることができる。
【００３４】
すすぎ洗浄処理をされたのり網Ｎは、すすぎ洗浄部６の出口に設けられた導入部３１、３２、３３により、３つの従動ローラ側に誘導され、駆動ローラ７と従動ローラ８１、８２、８３の間に挟まれる。洗浄後ののり網Ｎが駆動ローラ７と従動ローラ８１、８２、８３に挟まれ、従動ローラ８１、８２、８３がバネＳにより駆動ローラ７側に付勢されていて、従動ローラ８１、８２、８３がのり網Ｎを駆動ローラ７側に押圧するので、のり網Ｎを絞り、余分な水分をのり網Ｎから除去する。その後、３組に分けられたのり網Ｎは回収用の箱などに詰められ、洗浄され、きれいになったのり網Ｎは再利用が可能となる。このように洗浄装置１によれば、複数組ののり網Ｎを連続して同時に処理することができ、のり網Ｎの再利用をすることができる。
【符号の説明】
【００３５】
１  のり網洗浄装置
３１、３２、３３  導入部
４  粗洗浄用洗浄部
５  中間洗浄用洗浄部
６  すすぎ洗浄用洗浄部
４１、５１、６１  通路
４２、５２、６２  噴射ノズル
７  駆動ローラ
８１、８２、８３  従動ローラ
９  ケーシング
Ｎ  のり網
Ｃ１、Ｃ２、Ｃ３  洗浄場所
Ａｘ１、Ａｘ２、Ａｘ３、Ａｘ４、Ａｘ５、Ａｘ６  軸
Ｇ  ガイド部
Ｓ  バネ
Ｍ、Ｍ２  モータ
Ｔ  搬送手段
【図１】
0003157503.tif 000003
【図２】
0003157503.tif 000004
【図３】
0003157503.tif 000005
【図４】
0003157503.tif 000006
【図５】
0003157503.tif 000007
【図６】
0003157503.tif 000008
【図７】
0003157503.tif 000009